(57)【特許請求の範囲】
【請求項１】
サーバが、
クライアント端末からサーバ側文書情報のアドレスおよび前記サーバ側文書情報に対する端末更新情報を含む情報送信要求を受け付けるステップと、
それぞれが個別更新情報を備えた複数の個別情報を含む前記アドレスに格納されるサーバ側文書情報を読み出すステップと、
前記クライアント端末からの情報送信要求に含まれる前記端末更新情報と、前記サーバ側文書情報に含まれる前記複数の個別情報の各個別更新情報とをそれぞれ比較し前記端末更新情報よりも後に更新された個別情報を抽出するステップと、
抽出された個別情報に表示属性を付加するステップと、
表示属性の付加された個別情報を編集して表示用文書情報として前記クライアント端末に返信するステップと
を実行する更新情報の自動表示方法。
【請求項２】
前記個別情報を抽出するステップは、
前記サーバ側文書情報中の複数のタグが更新属性を備えた更新タグであるか否かを解析するステップと、
前記複数のタグのうち少なくとも２つが更新タグである場合に、前記少なくとも２つの更新タグに含まれる更新日時または更新日付を前記個別更新情報として読み出すステップと、
前記少なくとも２つの更新タグのそれぞれの前記更新日時または更新日付を、前記端末更新情報に含まれる前記クライアント端末の当該サーバ側文書情報に対する最終アクセス日時または最終アクセス日付と比較するステップと、
前記比較の結果、前記サーバ側文書情報に対する最終アクセス日時または最終アクセス日付よりも更新日時又は更新日付が新しい更新タグを含む個別情報を前記複数の個別情報から抽出するステップと
からなる請求項１記載の更新情報の自動表示方法。
【請求項３】
前記個別情報の編集は、サーバ側文書情報に付加された更新属性を備えた更新タグを削除し、クライアント端末で可読な汎用の表示用タグまたは表示用図形を付加する処理である
請求項１又は２に記載の更新情報の自動表示方法。
【請求項４】
前記情報送信要求中に端末更新情報が存在しない場合には、前記個別情報の編集の際に、前記サーバ側文書情報に付加された更新属性を備えた更新タグの削除のみを行い削除後のサーバ側文書情報を表示用文書情報として前記クライアント端末に返信する
請求項１から３の何れか１項に記載の更新情報の自動表示方法。
【請求項５】
前記情報送信要求中に端末更新情報が存在しない場合には、前記個別情報の編集の際に全ての個別情報に対して、サーバ側文書情報に付加された更新属性を備えた更新タグを削除し、クライアント端末で可読な汎用の表示用タグまたは表示用図形を付加する処理を行う
請求項１から３の何れか１項に記載の更新情報の自動表示方法。
【請求項６】
前記端末更新情報と、前記個別更新情報との比較は、前記端末更新情報または前記個別更新情報のいずれか一方に所定の補正値を付与して行う
請求項１から５の何れか１項に記載の更新情報の自動表示方法。
【請求項７】
前記所定の補正値は日数である請求項６記載の更新情報の自動表示方法。
【請求項８】
前記所定の補正値は日数であり、前記端末更新情報を所定の日数で減算処理した結果値と前記個別情報の更新日時とを比較する請求項６記載の更新情報の自動表示方法。
【請求項９】
コンピュータに対して、
クライアント端末からサーバ側文書情報のアドレスおよび前記サーバ側文書情報に対する端末更新情報を含む情報送信要求を受け付けるステップと、
それぞれが個別更新情報を備えた複数の個別情報を含む前記アドレスに格納されるサーバ側文書情報を読み出すステップと、
前記クライアント端末からの情報送信要求に含まれる前記端末更新情報と、前記サーバ側文書情報に含まれる前記複数の個別情報の各個別更新情報とをそれぞれ比較し前記端末更新情報よりも後に更新された個別情報を抽出するステップと、
抽出された個別情報に表示属性を付加するステップと、
表示属性の付加された個別情報を編集して表示用文書情報として前記クライアント端末に返信するステップと
を実行させるプログラムを記憶したコンピュータ読み取り可能な記憶媒体。
【請求項１０】
クライアント端末からサーバ側文書情報のアドレスおよび前記サーバ側文書情報に対する端末更新情報を含む情報送信要求を受け付ける受付部と、
それぞれが個別更新情報を備えた複数の個別情報を含む前記アドレスに格納されるサーバ側文書情報を読み出す読出部と、
前記クライアント端末からの情報送信要求に含まれる前記端末更新情報と、前記サーバ側文書情報に含まれる前記複数の個別情報の各個別更新情報とをそれぞれ比較し前記端末更新情報よりも後に更新された個別情報を抽出する更新判定部と、
抽出された個別情報に表示属性を付加するとともに、この表示属性の付加された個別情報を編集する変換部と
からなるサーバ処理装置。
【請求項１１】
コンピュータに対して
クライアント端末からサーバ側文書情報のアドレスおよび前記サーバ側文書情報に対する端末更新情報を含む情報送信要求を受け付けるステップと、
それぞれが個別更新情報を備えた複数の個別情報を含む前記アドレスに格納されるサーバ側文書情報を読み出すステップと、
前記クライアント端末からの情報送信要求に含まれる前記端末更新情報と、前記サーバ側文書情報に含まれる前記複数の個別情報の各個別更新情報とをそれぞれ比較し前記端末更新情報よりも後に更新された個別情報を抽出するステップと、
抽出された個別情報に表示属性を付加するステップと、
表示属性の付加された個別情報を編集して表示用文書情報として前記クライアント端末に返信するステップと
を実行させるプログラム。
【発明の詳細な説明】
【０００１】
【発明の属する技術分野】
本発明は、インターネット等のネットワークにおいて、サーバに蓄積された情報を端末装置で閲覧する際に適用して有効な技術に関する。
【０００２】
【従来の技術】
インターネットでは、ウェブサーバに蓄積された情報をネットワークを介して閲覧プログラムを起動させた閲覧用端末装置で閲覧している。
【０００３】
ウェブサーバで提供する情報は、部分的に更新されることが多いため、ウェブサーバ上に新たな情報を登録する場合には、新たに更新した箇所だけに新規であることを示す「ＮＥＷ！！」等のロゴを表示させるようなタグ、たとえば「＜IMG
SRC=new.gif＞」という書式を挿入していた。
【０００４】
一方、閲覧プログラムとして多用されているマイクロソフト社のインターネットエクスプローラ、あるいはネットスケープ社のネットスケープと呼ばれるプログラムには、キャッシュまたはクッキー(Cookie)と呼ばれるログ情報等の端末毎の個別情報を蓄積する機能が設けられており、閲覧プログラムは、ウェブサーバにアクセスして特定の情報を閲覧する際に、当該特定情報と端末装置内に蓄積されたクッキー情報とを対比させて、当該端末装置での前回のアクセス以降で当該情報が更新されているか否かを判定し、ウェブサーバ側の特定情報が更新されている場合にだけ端末装置に当該情報をダウンロードするような機能を持たせることも可能である。
【０００５】
【発明が解決しようとする課題】
しかし、ウェブサーバ上で情報提供者が更新する情報は不特定多数の閲覧者に対して一律かつ定型的な書式になっているため、情報提供者側でウェブサーバのソースファイルを更新するまでは常に新規であることを示すロゴが一律に表示されてしまう。
【０００６】
そのため、閲覧者にとっては当該ウェブサーバの情報を閲覧したときに、個々の情報それぞれについてそれが本当に当該閲覧端末にとって新規な情報なのか否かがわからないという問題があった。
【０００７】
また、前述のキャッシュまたはクッキーを用いた技術では、当該閲覧端末が蓄積している個別情報と比較して前回の閲覧以降、ウェブサーバにある情報が更新されたか否かはわかるものの、どの箇所が更新されたかはわからず、結局情報提供者が付与した新規であることを示すタグで表示されるロゴ等を手がかりにする以外はなかった。
【０００８】
本発明は、このような点に鑑みてなされたものであり、ウェブサーバあるいは代理サーバに簡易なプログラムを付加するだけで、ウェブサーバから提供される情報について、個別の端末装置毎に当該端末装置にとって新規な情報部分を特定して表示することが可能な技術を実現することを技術的課題とする。
【０００９】
【課題を解決するための手段】
本発明は、前記課題を解決するため、クライアント端末からアドレスおよび端末更新情報（クッキー情報）を含む情報送信要求を受け付けて、個別情報毎の個別更新情報（更新日時または日付）を備えたサーバ側文書情報を読み出すとともに、端末更新情報と、前記個別更新情報とを比較し前記端末更新情報よりも後に更新された個別情報を抽出し、この抽出個別情報に表示属性を付加する。そして、この個別情報を編集して表示用文書情報（汎用のＨＴＭＬファイル）として前記クライアント端末に返信するようにした。
【００１０】
このように、本発明では、サーバ側文書情報として各情報に個別の更新情報を持たせておき、これをクライアント端末側の更新情報と比較することによって、個別情報のいずれが当該端末において既読（既見）な情報であるかを判定することが可能となる。この判定結果にもとづいてクライアント端末毎に個別情報に対して未読（未見）を示す表示属性を付加して返信することによって、クライアント端末毎に一律的でない個別の更新情報を容易に把握することが可能となる。
【００１１】
【発明の実施の形態】
【００１２】
【実施例】
以下、図面にもとづいて、本発明の実施の形態を説明する。
【００１３】
図１は、本発明を実現するためのシステム構成図である。
【００１４】
同図において、１はクライアント端末（情報閲覧端末）であり、パーソナルコンピュータ、インターネット閲覧専用端末装置または携帯情報端末等で構成されている。
【００１５】
このクライアント端末１には、オペレーションシステムとして、マイクロソフト社のウィンドウズ、ＵＮＩＸ、ＬＩＮＵＸ等がインストールされており、これらのオペレーションシステム上にはマイクロソフト社のインターネット・エクスプローラ、ネットスケープ社のネットスケープ等のブラウザプログラム２（閲覧プログラム）がインストールされている。
【００１６】
このブラウザプログラム２は、クライアント端末１毎の個別情報蓄積機能（クッキー機能：Cookie）を有しており、この個別情報（クッキー情報）を蓄積する領域（クッキー領域３）を有している。
【００１７】
なお、本実施例においてクライアント端末１におけるブラウザプログラム２は、前述のように汎用のものであり、クッキー機能さえ備えていればよい。
【００１８】
このクライアント端末１は、インターネット等の情報通信路５に接続されており、ウェブサーバ７へのアクセスが可能となっている。
【００１９】
ウェブサーバ７は、図示は省略しているが、汎用のコンピュータシステムで構築されており、内部バスによって相互に接続された中央処理装置、記憶装置、入出力装置等を有しており、サーバ処理装置として機能している。このサーバ処理装置は、前記情報通信路５を介してクライアント端末１からのアドレス(URL:Uniform Resource Locator)を特定した情報送信要求４を受け付けると、この文書データベースより当該アドレスに格納されていたＷＷＷ文書情報１１を返信情報６として送信する機能を有している。この機能は具体的にはハードディスク装置にインストールされたサーバプログラムによって実現されている。
【００２０】
ソース側文書情報としてのＷＷＷ文書情報１１は、ＨＴＭＬファイル(Hyper Transfer Mark-up Language)で記述されたテキストである。しかし、このＷＷＷ文書情報１１には拡張タグが挿入されており、個々の情報毎に更新年月日または更新日時が記録されている。具体的には個々の情報毎に「update=20000524」等のような記述が更新情報として挿入されている。
【００２１】
本実施例において、ウェブサーバ７には、タグ解析プログラム８、更新判定プログラム９およびタグ変換プログラム１０がインストールされており、ＷＷＷ文書情報１１を加工してクライアント端末１に返信することが可能となっている。
【００２２】
以下、各プログラム８，９および１０の機能を説明する。
【００２３】
まず、クライアント端末１は、情報通信路５を通じて、ウェブサーバ７に対して情報送信要求４を発行する。このとき、情報送信要求４には、ウェブサーバ７の特定のアドレスを示すＵＲＬとともに、クライアント端末１のクッキー領域３に蓄積されているクッキー情報を付加する。
【００２４】
このクッキー情報とは、たとえばクッキー領域３に蓄積された当該ＵＲＬのアクセス情報（前回のアクセス日時記録）である。なお、クライアント端末１は当該ＵＲＬに対応するクッキー情報がクッキー領域３に存在しないときには当該情報送信要求４にはクッキー情報を付加しなくてよい。
【００２５】
この情報送信要求４を受信したウェブサーバ７は、当該ＵＲＬに対応するＷＷＷ文書情報１１を読み出してタグ解析プログラム８を起動する。このタグ解析プログラム８の処理手順を示したものが図２である。このタグ解析プログラム８の中で更新判定プログラム９を起動して、前記クライアント端末１からのクッキー情報とウェブサーバ７のＷＷＷ文書情報１１とを比較する。具体的には図３に示すようなクッキー情報にもとづいた最終アクセス日時と、ＷＷＷ文書情報１１の個々の更新情報との比較であり、この結果、クッキー情報から読み出した更新日時よりも後の更新情報については、タグ変換プログラム１０によりタグを書き換える。
【００２６】
これらの各プログラムについて詳細に説明する。
【００２７】
図２は、タグ解析プログラム８の処理フロー図である。
【００２８】
同図において、Ｓ１はクッキー情報の検出ステップであり、クライアントの情報送信要求４にクッキー情報が付加されていたかどうかを検出する。
【００２９】
次のステップ（Ｓ２）は、情報送信要求４がなされたＵＲＬに対応するＷＷＷ文書情報１１からタグを検出するステップであり、ＷＷＷ文書情報１１に付与されている全てのタグについて処理が完了するまで繰り返される。
【００３０】
ＷＷＷ文書情報１１中のタグを検出すると、このタグが更新タグであるか否かが判定される。
【００３１】
ここで、本実施例では更新タグとして＜ＮＥＷ＞タグを新たに定義する。この＜ＮＥＷ＞タグには２個のオプション指定が可能である。第１オプションの「更新日時」には、情報が更新された日時（または日付）を記述する。第２オプションの「ファイル名」には「Ｎｅｗマーク」として使用されるロゴ等のイメージファイル名を記述する。この＜ＮＥＷ＞タグの具体的な表示例を以下に示す。
「Ａ：サポート情報＜NEW update="20000524" src="../image/new.gif"＞」
この記述において、更新日時オプションは「update="20000524"」の部分であり、ファイル名は「src="../image/new.gif"」の部分である。
【００３２】
このような更新タグでない場合には、一般的なタグ解析処理ステップ（Ｓ４）を実行し処理を戻す。このとき一般的なタグ処理とは、文字の大きさ、その他の書式に関する処理である。
【００３３】
ステップＳ３において更新タグが抽出されたときには、更新判定プログラム９を起動し（Ｓ５）、引き続いてタグ変換プログラム１０を起動して（Ｓ６）タグの変換処理を行う。
【００３４】
図３は更新判定プログラム９の処理フロー図である。この更新判定プログラム９は、クッキー情報から得られた最終アクセス日時と＜ＮＥＷ＞タグの更新日時オプションに記述された情報を用いて、その情報が閲覧者（ユーザ）にとって新しい情報であることを示す「Ｎｅｗマーク」を付加するか否かを決定する。
【００３５】
同図において、前述のクッキー情報の検出ステップ（Ｓ１）の判定結果を引き継ぎ、クライアント端末１からの情報送信要求４にクッキー情報が付加されていた場合には、当該クッキー情報から当該クライアント端末１が当該ウェブサーバ７のＷＷＷ文書情報の所在を示すＵＲＬにアクセスした最後の日時を抽出する（ステップＳ７，Ｓ８）。
【００３６】
次に、前記で抽出されたアクセス日時の情報と、ＷＷＷ文書情報１１の個々の情報に付与された更新情報とを比較する（Ｓ１０）。この結果、更新された情報であると判定された場合には、Ｓ１１に進み「Ｎｅｗマーク」を付加する処理を実行する。
【００３７】
図４は、タグ変換プログラム１０の処理フロー図であり、＜ＮＥＷ＞タグを変換してクライアント端末１上の汎用のブラウザプログラム２で当該＜ＮＥＷ＞タグが正しく表示されるようにするための処理である。
【００３８】
前述のステップＳ１１において、「Ｎｅｗマーク」を付加する判定がされたとき（Ｓ１３）、この＜ＮＥＷ＞タグからファイル名オプションを抽出する（Ｓ１４）。このファイル名オプションとは前述の具体例で説明した、「src="../image/new.gif"」の記述を抽出する処理である。
【００３９】
そして、抽出したこのファイル名オプションにもとづいて＜ＩＭＧ＞タグを生成し、クライアント端末１に送信するためのＷＷＷ文書中に付加する。具体的には、前述の表記例は、「Ａ：サポート情報＜src="../image/new.gif"＞」となる。この＜ＩＭＧ＞タグがクライアント端末１のブラウザプログラム２で実際の「Ｎｅｗマーク」として表示される部分となる。
【００４０】
次のステップ（Ｓ１６）では、前述の＜ＮＥＷ＞タグを削除する処理である。この＜ＮＥＷ＞タグを削除することで、変換された＜ＩＭＧ＞タグのみがクライアント端末１に送信されることになる。つまり、＜ＮＥＷ＞タグに関する処理はサーバ側で完結するためクライアント側には何等影響を与えることなく、新規情報の表示制御が可能となる。
【００４１】
図５は、図２乃至図４で説明した処理をより具体的に示した処理フロー図である。
【００４２】
同図において、ウェブサーバ７に蓄積されているＷＷＷ文書において、情報Ａ（サポート情報）は２０００年５月２４日に更新された情報であり、情報Ｂ（Ｑ＆Ａ事例）は２０００年５月１０日に更新された情報であるとする。それぞれの情報について＜ＮＥＷ＞タグが付与されており、このタグの書式は前述の規則にもとづいている。
【００４３】
一方、クライアント端末１からの情報送信要求４に添付されたクッキー情報中の最終アクセス日時情報は「２０００年５月１５日」を示している。したがって、このクライアント端末１にとって情報Ａは全く新規な情報であるが、情報Ｂは前回のアクセスで既見の情報である。
【００４４】
ウェブサーバ７において、クライアント端末１からの情報送信要求４があると、まずこの情報送信要求４中にクッキー情報が含まれているか否かが判定される（図２および図３で説明したＳ１，Ｓ７）。ここでクッキー情報が存在している場合には、このクッキー情報中から当該クライアント端末１が当該ＵＲＬにアクセスした最終日時を読み出す（Ｓ８，Ｓ１８）。
【００４５】
次に、当該指定されたＵＲＬに蓄積されたＷＷＷ文書が読み出されて、タグ解析プログラム８が起動され、当該ＷＷＷ文書のタグが解析される（Ｓ２，Ｓ３，Ｓ１７）。
【００４６】
ここで、＜ＮＥＷ＞タグが抽出されると、この＜ＮＥＷ＞タグの更新日時オプションの日時情報とクッキー情報中の最終アクセス日時情報とが比較される（Ｓ９，Ｓ１９）。
【００４７】
図５の具体例では、情報Ａは最終アクセス後に更新された情報であり、情報Ｂは最終アクセス前に既に更新されていた情報である。したがって、クライアント端末１を操作するユーザとしては、情報Ａは目新しい情報であるが情報Ｂは既読の情報である。したがって、ここでは情報Ａは「Ｎｅｗマーク」を付与すべき情報であると判定され、情報Ｂは「Ｎｅｗマーク」を付与する必要のない情報であると判定される（Ｓ１０〜Ｓ１２）。
【００４８】
次に、タグ変換プログラム１０が起動され（Ｓ２０）、「Ｎｅｗマーク」を付与すべきと判定された情報Ａについて、図４で説明したステップＳ１４〜Ｓ１６が実行される。
【００４９】
この結果、図５のＳ２１に表示されたソースファイル形式にＷＷＷ文書が変換されてクライアント端末１に返信情報６として返信される。
【００５０】
図６は、本実施例におけるＷＷＷ文書の＜ＮＥＷ＞タグとクッキー情報の最終アクセス日時情報との比較を示す概念図である。
【００５１】
同図に示すように、単一のＷＷＷ文書中に複数の＜ＮＥＷ＞タグが存在していた場合、それぞれの＜ＮＥＷ＞タグ毎に更新判定処理とタグ変換処理とが繰り返される。更新判定処理には＜ＮＥＷ＞タグのオプションである「更新日時」とクッキー情報に記述された最終アクセス日時情報が必要であるが、クッキー情報にはＷＷＷ文書毎（ページ毎）の更新情報を有しているだけであり、「タグ毎」の情報は有していない。そのため、本実施例では文書単位でのクッキー情報（最終アクセス日時情報）に対して、文書中の個々の＜ＮＥＷ＞タグを対比させて比較処理を行っているわけである。
【００５２】
図７は、クライアント端末１のブラウザプログラム２においてＷＷＷページが表示される状態を示したものである。同図においてウェブサーバ７に蓄積されているＷＷＷ文書（ＳＶ）には、情報Ａおよび情報Ｂのそれぞれについて＜ＮＥＷ＞タグが記述されている。
【００５３】
４つのクライアント端末（ＣＬ１〜ＣＬ４）のブラウザプログラム２では、当該ＷＷＷ文書のＵＲＬに対するクッキー情報はそれぞれ異なっている。
【００５４】
クライアント端末ＣＬ１は、当該ウェブサーバ７のＷＷＷ文書に初めてアクセスした状態であり、クッキー情報が全く存在しない状態でアクセスしたものであるため、全ての情報が新規であり、あえて情報Ａ，Ｂについて「Ｎｅｗマーク」は付与されていない。
【００５５】
クライアント端末ＣＬ２は、クッキー情報を有しており、かつこのクッキー情報にもとづく最終アクセス日時が情報ＡおよびＢの双方の更新日時の前であるため、情報Ａおよび情報Ｂのいずれにも「Ｎｅｗマーク」が付与されている。
【００５６】
クライアント端末ＣＬ３の最終アクセス日時は、情報Ｂの更新後であり、情報Ａの更新前である。したがって、最終アクセス後に更新された情報Ａについてのみ「Ｎｅｗマーク」が付与されて表示されている。
【００５７】
クライアント端末ＣＬ４の最終アクセス日時は、情報ＡおよびＢの更新後である。したがって、最終アクセス時には更新後の情報Ａおよび情報Ｂを既に見ている（読んでいる）ため、いずれの情報にも「Ｎｅｗマーク」は付与されない。
以上、本発明の実施例を説明したが、本発明はこれに限定されるものではない。たとえば、タグ解析プログラム８、更新判定プログラム９およびタグ変換プログラム１０はウェブサーバ７にインストールされている例で説明したが、たとえばウェブサーバ７とクライアント端末１との間に図示しない代理サーバを介在させてこの代理サーバに当該各プログラムまたはこれらに相当する機能を持たせてもよい。
【００５８】
また、＜ＮＥＷ＞タグの更新日時オプションとクッキー情報の最終アクセス日時情報とを直接比較して（Ｓ８〜Ｓ１０，Ｓ１９）タグ変換を行い「Ｎｅｗマーク」を表示させる場合で説明したが、日時を直接比較するのではなく、クッキー情報の日時情報を一定日時分だけ減算した結果値を＜ＮＥＷ＞タグの更新日時オプションと比較してもよい。このような処理を行えば、ＷＷＷ文書（ＳＶ）の情報更新の直後にアクセスした場合であっても所定日数（前記で減算した日時分）の間だけは常に「Ｎｅｗマーク」を表示させることができる。
【００５９】
具体的には、サーバ側で情報更新後１０日間は常に「Ｎｅｗマーク」を表示させておきたければステップＳ８のクッキー情報から最終アクセス日時を抽出した後、この日時を−１０日減算すればよい。
【００６０】
このようにした場合、図７のクライアント端末ＣＬ４の場合、実際のクッキー情報から得られる最終アクセス日時は２０００年５月２８日であるが、−１０日分だけ減算処理されるため、＜ＮＥＷ＞タグの更新日時オプションと比較される日時は２０００年５月１８日となる。したがって、この処理後の日時情報と＜ＮＥＷ＞タグの更新日時オプションとが比較される結果、クライアント端末ＣＬ４については既に見た（読んだ）情報であっても情報Ａに「Ｎｅｗマーク」が表示されることになる。
【００６１】
つまり、サポート情報Ａ（５月２４日に更新された情報）については、クッキー情報の最終アクセス日時が−１０日分だけ減算されるため、６月３日までのアクセスには常に「Ｎｅｗマーク」を表示させておくことが可能となる。
【００６２】
さらに、クッキー情報にはＵＲＬ毎のアクセス回数を登録させておくようにして、ステップＳ９，Ｓ１０において、アクセス回数によって「Ｎｅｗマーク」を付与するか否かを決定するようにしてもよい。
【００６３】
さらに、ステップＳ７ではクッキー情報が存在しないときに、全ての情報が新規であるとして「Ｎｅｗマーク」は付与しない処理を行った場合（図７のクライアントＣＬ１の場合）で説明したが、これに限定する必要はなく、全ての情報に「Ｎｅｗマーク」を付与して表示させてもよい。
【００６４】
最後に、本発明を総括すれば、下記の付記的事項を含む概念である。
【００６５】
（付記１）  クライアント端末からアドレスおよび端末更新情報を含む情報送信要求を受け付けるステップと、
個別情報毎の個別更新情報を備えたサーバ側文書情報を読み出すステップと、
前記端末更新情報と、前記個別更新情報とを比較し前記端末更新情報よりも後に更新された個別情報を抽出するステップと、
抽出された個別情報に表示属性を付加するステップと、
表示属性の付加された個別情報を編集して表示用文書情報として前記クライアント端末に返信するステップとからなる更新情報の自動表示方法。
【００６６】
（付記２）  前記個別情報を抽出するステップは、サーバ側文書情報を読み出すステップと、
サーバ側文書情報中のタグが更新属性を備えた更新タグであるか否かを解析するステップと、
更新タグである場合に更新タグに含まれる更新日時または更新日付を個別更新情報として読み出すステップと、
前記更新日時または更新日付を前記端末更新情報に含まれる端末毎の当該サーバ側文書情報に対する最終アクセス日時または最終アクセス日付と比較するステップと、
前記比較の結果、前記サーバ側文書情報に対する最終アクセス日時または最終アクセス日付よりも後に更新された更新情報を抽出するステップとからなる付記１記載の更新情報の自動表示方法。
【００６７】
（付記３）  前記個別情報の編集は、サーバ側文書情報に付加された更新属性を備えた更新タグを削除し、クライアント端末で可読な汎用の表示用タグまたは表示用図形を付加する処理である付記１記載の更新情報の自動表示方法。
【００６８】
（付記４）  前記情報送信要求中に端末更新情報が存在しない場合には、前記個別情報の編集の際に、前記サーバ側文書情報に付加された更新属性を備えた更新タグの削除のみを行い削除後のサーバ側文書情報を表示用文書情報として前記クライアント端末に返信する付記１記載の更新情報の自動表示方法。
【００６９】
（付記５）  前記情報送信要求中に端末更新情報が存在しない場合には、前記個別情報の編集の際に全ての個別情報に対して、サーバ側文書情報に付加された更新属性を備えた更新タグを削除し、クライアント端末で可読な汎用の表示用タグまたは表示用図形を付加する処理を行う付記１記載の更新情報の自動表示方法。
【００７０】
（付記６）  前記端末更新情報と、前記個別更新情報との比較は、前記端末更新情報または前記個別更新情報のいずれか一方に所定の補正値を付与して行う付記１記載の更新情報の自動表示方法。
【００７１】
（付記７）  前記所定の補正値は日数である付記６記載の更新情報の自動表示方法。
【００７２】
（付記８）  前記所定の補正値は日数であり、前記端末更新情報を所定の日数で減算処理した結果値と前記個別情報の更新日時とを比較する付記６記載の更新情報の自動表示方法。
【００７３】
（付記９）  クライアント端末からアドレスおよび端末更新情報を含む情報送信要求を受け付ける受付部と、
個別情報毎の個別更新情報を備えたサーバ側文書情報を読み出す文書情報読出部と、
前記端末更新情報と、前記個別更新情報とを比較し前記端末更新情報よりも後に更新された個別情報を抽出する個別情報抽出部と、
抽出された個別情報に表示属性を付加する付加部と、
表示属性の付加された個別情報を編集して表示用文書情報として前記クライアント端末に返信する返信部とからなる情報表示装置。
【００７４】
（付記１０）  前記個別情報を抽出する個別情報抽出部は、読み出したサーバ側文書情報中のタグが更新属性を備えた更新タグであるか否かを解析する解析部と、
更新タグである場合に更新タグに含まれる更新日時または更新日付を個別更新情報として読み出す個別更新情報読出部と、
前記更新日時または更新日付を前記端末更新情報に含まれる端末毎の当該サーバ側文書情報に対する最終アクセス日時または最終アクセス日付と比較する比較部と、
前記比較の結果、前記サーバ側文書情報に対する最終アクセス日時または最終アクセス日付よりも後に更新された更新情報を抽出する更新情報抽出部とからなる付記９記載の情報表示装置。
【００７５】
（付記１１）  前記付加部は、サーバ側文書情報に付加された更新属性を備えた更新タグを削除し、クライアント端末で可読な汎用の表示用タグまたは表示用図形を付加するものである付記９記載の情報表示装置。
【００７６】
（付記１２）  前記付加部は、前記情報送信要求中に端末更新情報が存在しない場合には、前記個別情報の編集の際に、前記サーバ側文書情報に付加された更新属性を備えた更新タグの削除のみを行い、前記返信部は前記削除後のサーバ側文書情報を表示用文書情報として前記クライアント端末に返信する付記９記載の情報表示装置。
【００７７】
（付記１３）  前記付加部は、前記情報送信要求中に端末更新情報が存在しない場合には、前記個別情報の編集の際に全ての個別情報に対して、サーバ側文書情報に付加された更新属性を備えた更新タグを削除し、クライアント端末で可読な汎用の表示用タグまたは表示用図形を付加する処理を行う付記９記載の情報表示装置。
【００７８】
（付記１４）  前記個別情報抽出部は、前記端末更新情報と前記個別更新情報との比較に際して、前記端末更新情報または前記個別更新情報のいずれか一方に所定の補正値を付与して行う付記９記載の情報表示装置。
【００７９】
（付記１５）  前記所定の補正値は日数である付記１４記載の情報表示装置。
【００８０】
（付記１６）  前記所定の補正値は日数であり、前記端末更新情報を所定の日数で減算処理した結果値と前記個別情報の更新日時とを比較する付記１４記載の情報表示装置。
【００８１】
（付記１７）  コンピュータに対してクライアント端末からアドレスおよび端末更新情報を含む情報送信要求を受け付けるステップと、
個別情報毎の個別更新情報を備えたサーバ側文書情報を読み出すステップと、
前記端末更新情報と、前記個別更新情報とを比較し前記端末更新情報よりも後に更新された個別情報を抽出するステップと、
抽出された個別情報に表示属性を付加するステップと、
表示属性の付加された個別情報を編集して表示用文書情報として前記クライアント端末に返信するステップとを実行させるプログラムを記憶したコンピュータ読み取り可能な記憶媒体。
【００８２】
（付記１８）  前記個別情報を抽出するステップは、サーバ側文書情報を読み出すステップと、
サーバ側文書情報中のタグが更新属性を備えた更新タグであるか否かを解析するステップと、
更新タグである場合に更新タグに含まれる更新日時または更新日付を個別更新情報として読み出すステップと、
前記更新日時または更新日付を前記端末更新情報に含まれる端末毎の当該サーバ側文書情報に対する最終アクセス日時または最終アクセス日付と比較するステップと、
前記比較の結果、前記サーバ側文書情報に対する最終アクセス日時または最終アクセス日付よりも後に更新された更新情報を抽出するステップとを実行させるプログラムである付記１７記載のコンピュータ読み取り可能な記憶媒体。
【００８３】
（付記１９）  前記個別情報の編集は、サーバ側文書情報に付加された更新属性を備えた更新タグを削除し、クライアント端末で可読な汎用の表示用タグまたは表示用図形を付加する処理ステップである付記１７記載のコンピュータ読み取り可能な記憶媒体。
【００８４】
（付記２０）  前記情報送信要求中に端末更新情報が存在しない場合には、前記個別情報の編集の際に、前記サーバ側文書情報に付加された更新属性を備えた更新タグの削除のみを行い削除後のサーバ側文書情報を表示用文書情報として前記クライアント端末に返信する付記１７記載のコンピュータ読み取り可能な記憶媒体。
【００８５】
（付記２１）  前記情報送信要求中に端末更新情報が存在しない場合には、前記個別情報の編集の際に全ての個別情報に対して、サーバ側文書情報に付加された更新属性を備えた更新タグを削除し、クライアント端末で可読な汎用の表示用タグまたは表示用図形を付加する処理を行う付記１７記載のコンピュータ読み取り可能な記憶媒体。
【００８６】
（付記２２）  前記端末更新情報と、前記個別更新情報との比較は、前記端末更新情報または前記個別更新情報のいずれか一方に所定の補正値を付与して行う付記１７記載のコンピュータ読み取り可能な記憶媒体。
【００８７】
（付記２３）  前記所定の補正値は日数である付記２２記載のコンピュータ読み取り可能な記憶媒体。
【００８８】
（付記２４）  前記所定の補正値は日数であり、前記端末更新情報を所定の日数で減算処理した結果値と前記個別情報の更新日時とを比較する付記２２記載のコンピュータ読み取り可能な記憶媒体。
【００８９】
【発明の効果】
本発明によれば、ウェブサーバから提供される情報について、個別のクライアント端末毎に個別に新規な情報部分を特定して表示することが可能となり、クライアント端末毎に更新情報の把握が容易となる。
【図面の簡単な説明】
【図１】  本発明の実施例におけるシステム構成図
【図２】  実施例におけるタグ解析プログラムの処理フロー図
【図３】  実施例における更新判定プログラムの処理フロー図
【図４】  実施例におけるタグ変換プログラムの処理フロー図
【図５】  実施例における比較処理および変換処理の具体例を示す処理フロー図
【図６】  実施例の＜ＮＥＷ＞タグとクッキー情報との比較概念図
【図７】  実施例のサーバ側文書とクライアント端末ＣＬ１〜ＣＬ４毎の表示例を示す説明図
【符号の説明】
１  クライアント端末
２  ブラウザプログラム
３  クッキー領域
４  情報送信要求
５  情報通信路
６  返信情報
７  ウェブサーバ
８  タグ解析プログラム
９  更新判定プログラム
１０  タグ変換プログラム
１１  ＷＷＷ文書情報
【図１】
0004405695.tif 000002
【図２】
0004405695.tif 000003
【図３】
0004405695.tif 000004
【図４】
0004405695.tif 000005
【図５】
0004405695.tif 000006
【図６】
0004405695.tif 000007
【図７】
0004405695.tif 000008